(57)【特許請求の範囲】
【請求項１】
ケースに設けられたケース貫通孔を通じて、ケース内部の電気回路にケーブルのケーブル端末を電気的に接続するための端末接続装置であって、
ケーブルの外周面に嵌合されたケーブル端子台間シール部材と、
ケーブルの外周面にケーブル端子台間シール部材に隣接するように嵌合固定されるリテーナと、
ケースの外側のケース貫通孔周辺部に固定された絶縁材製の端子台本体部と、端子台本体部に設けられたケーブル挿入孔と、端子台本体部に保持され、ケース内部の電気回路に接続可能な端子台金具であって、ケーブル挿入孔を通じて端子台本体部の内側に配置されたケーブル端末と接続される端子台金具とを含む端子台と、
端子台本体部とケースとの間に設けられたケース端子台間シール部材とを備え、
ケーブル挿入孔は、内周面に環状または周方向複数個所に形成された係止孔を含み、
リテーナは、外周面に設けられ、係止孔に係止可能な係止突部を含み、
ケーブル端子台間シール部材は、係止突部が係止孔に係止されるように、ケーブル端末がケーブル挿入孔の内側に挿入された状態で、ケーブル挿入孔に軸方向に向いて形成される段差面とリテーナとの間でケーブルの長さ方向に圧縮されることにより、ケーブル端末と端子台金具との接続部を端子台の外部からシールすることを特徴とする端末接続装置。
【請求項２】
請求項１に記載の端末接続装置において、
端子台金具は、
ケース貫通孔に挿入された端子台本体部に形成された孔内に、ケーブルの挿入方向と同一直線上に保持された筒状金具であり、
ケーブル端末に設けられた端末金具は、筒状金具の内側に挿入されて筒状金具に接続されることを特徴とする端末接続装置。
【請求項３】
請求項２に記載の端末接続装置において、
ケーブルに嵌合固定された取付部材であって、端子台とリテーナ及びケーブル端子台間シール部材との周囲を覆う筒部と、筒部の先端部に設けられ、ケースに締結部材により固定されるフランジとを有する取付部材を備えることを特徴とする端末接続装置。
【請求項４】
請求項２に記載の端末接続装置において、
端子台は、端子台本体部に設けられた端子台フランジと、端子台本体部の一部がケース貫通孔に挿入された状態でケース内側においてケース貫通孔周縁部に係止された端子台係止部とを含み、
ケース端子台間シール部材は、端子台フランジとケースの外面との間に設けられることを特徴とする端末接続装置。
【発明の詳細な説明】
【技術分野】
【０００１】
本発明は、ケースに設けられた貫通孔を通じて、ケース内部の電気回路にケーブルの端末を接続するための端末接続装置に関する。
【背景技術】
【０００２】
例えば、電気自動車やハイブリッド車等の電動車両には、多相電動モータが搭載される。多相電動モータのように、ステータに複数の相の巻線を配置する場合、各相の巻線の端子、例えばＵ相、Ｖ相、Ｗ相の巻線の端子と、電動モータを駆動する駆動回路である、インバータからの複数の端子、例えば、Ｕ相、Ｖ相、Ｗ相に対応する端子とを、電気的に接続する必要がある。このため、ケース内部の電気回路である、電動モータのケース内部の各相の巻線の端子と、インバータからの各相に対応するケーブルの端末とを、ケースに設けた貫通孔を通じて、端末接続装置により接続することが考えられている。
【０００３】
例えば、特許文献１には、金属製のシールドケースである端子台ケースに形成した貫通孔にシールド電線を貫通させて内部の電気回路に接続する電線接続構造が記載されている。この電線接続構造は、端子台ケース内に固定された内部ハウジングであって、電気回路に接続される内部端子金具を保持した絶縁性を有する内部ハウジングと、シールド電線にモールド成型した絶縁性を有する外部ハウジングと、シールド電線の芯線に接続し、内部端子金具と接続される外部端子金具と、外部ハウジングに一体に設けられ端子台ケースに固定されることで外部ハウジングを内部ハウジングとの嵌合状態に固定し、シールド電線のシールド層に電気的に連なる金属製のフランジと、外部ハウジングの外周に設けられて貫通孔との間をシールするシールリングとを備える。
【０００４】
また、特許文献２には、シールド電線の端末を機器内に装備された端子に接続するためのシールド電線の端末接続装置が記載されている。この端末接続装置は、モータケースの外面に取り付けられたアルミダイキャスト製のシールドケースと、一端がモータケース内のステータ端子に接続され、他端がシールドケース内に臨んでいるバスバーとを備え、シールドケースの側面に形成された挿通部にシールド電線であるモータケーブルの端末を挿通し、この端末に設けたシールド体であるシールドシェルをコンタクトを介して挿通部に接触させ、モータケーブルの芯線の端末とバスバーの他端とをシールドケース内に設けた絶縁性の端子台上で互いに結合している。
【０００５】
また、特許文献３には、コイルを収容するケーシングに設置されてコイルとケーシング外部との電気的接続を行うための端子台ユニットが記載されている。この端子台ユニットは、リード線を接続するための金属端子を下面側に有する端子台と、端子台の下面側に接着され、端子に対応する穴を持つ絶縁プレートと、絶縁プレートの下面側に接着され貫通穴を持つ金属プレートとからなる。また、リード線が貫通穴を通して金属プレートの下面側に導出され、穴を含む絶縁プレート及び端子台の接触面と、絶縁プレート及び金属プレートの接触面と、貫通穴とに接着剤を充填して一体化させている。
【先行技術文献】
【特許文献】
【０００６】
【特許文献１】特開２００２−２０８４５６号公報
【特許文献２】特開２００１−２５１０８９号公報
【特許文献３】特開２００５−１２４３３４号公報
【発明の概要】
【発明が解決しようとする課題】
【０００７】
上記のように、従来から考えられている端末接続装置等の接続構造を用いてケース内部の電気回路にケーブルの端末を接続する場合、ケーブルの端末接続部の外部からのシール性を高くすることや、ケーブルの固定部品に対する着脱作業性を高くする、すなわち着脱作業を容易に行えるようにすることや、ケーブルから放出される高周波ノイズが外部の電気部品に与える影響を抑制して電磁波シールド性を確保することが好ましい。特に、ケーブルの端末接続部のシール性を高くしつつ、ケーブルの固定部品に対する着脱作業を容易に行えるようにすることが望まれている。また、このような機能を確保する場合に構造が複雑化したり、構造が大型化しやすいので、このような不都合が生じることを防止することも求められる。これに対して、上記のように、従来から考えられている端末接続装置等の接続構造を用いてケース内部の電気回路にケーブルの端末を接続する場合、単純な構造で、ケーブルの固定部品に対する着脱作業を容易にしつつ、ケーブルの端末接続部の外部からのシール性を高くする面から改良の余地がある。
【０００８】
例えば、特許文献１に記載の構成の場合、シールド電線に外部ハウジングをモールド成型し、外部ハウジングを端子台ケース内に固定した内部ハウジングに嵌合した状態で、端子台ケースの貫通孔と外部ハウジングの外周部との間でシールリングを径方向に圧縮するようにしている。ただし、シールリングの圧縮方向は、外部ハウジングの貫通孔に対する挿入方向に対し直角方向であり、シールド電線の接続部のシール性を高くする面から改良の余地がある。例えば、シールリングの径方向の厚さを大きくしてシール性を高くすることも考えられるが、この場合にはシールリングを外部ハウジングとともに貫通孔に挿入する場合の抵抗が過度に高くなる可能性があり、シールド電線の接続作業が困難になる可能性がある。これに対してシールリングの径方向の厚さを小さくするとシール性が低くなる可能性がある。
【０００９】
また、特許文献１に記載の構成の場合、外部ハウジングと端子台ケースとの間に、外部ハウジングをボルトにより固定する前の仮固定を可能とする係止部を設けていないので、この面からもシールド電線の接続作業の容易化を図る面から改良の余地がある。
【００１０】
また、特許文献２に記載の構成の場合、シールドケースの挿通部にモータケーブルを挿通し、モータケーブルに嵌合した防水ゴム栓を挿通部に嵌着することで、モータケーブルとバスバーとの接続構造をシールしている。このような特許文献２の構成の場合も、防水ゴム栓の圧縮方向は、シールドケースの挿通部に対する挿入方向に対し直角方向であり、モータケーブルの接続部のシール性を高くする面からは改良の余地がある。
【００１１】
また、特許文献３に記載の構成の場合、端子台に設けた外部接続用の端子は外部に露出しており、ケース内部の電気回路にケーブルの端末を接続する場合に、ケーブルの固定部品に対する着脱作業を容易にしつつ、ケーブルの端末接続部の外部からのシール性を高くできるようにする面から改良の余地がある
【００１２】
本発明の目的は、端末接続装置において、単純な構造で、ケーブルの固定部品に対する着脱作業を容易にしつつ、ケーブルの端末接続部の外部からのシール性を高くすることを目的とする。
【課題を解決するための手段】
【００１３】
本発明に係る端末接続装置は、ケースに設けられたケース貫通孔を通じて、ケース内部の電気回路にケーブルのケーブル端末を電気的に接続するための端末接続装置であって、ケーブルの外周面に嵌合されたケーブル端子台間シール部材と、ケーブルの外周面にケーブル端子台間シール部材に隣接するように嵌合固定されるリテーナと、ケースの外側のケース貫通孔周辺部に固定された絶縁材製の端子台本体部と、端子台本体部に設けられたケーブル挿入孔と、端子台本体部に保持され、ケース内部の電気回路に接続可能な端子台金具であって、ケーブル挿入孔を通じて端子台本体部の内側に配置されたケーブル端末と接続される端子台金具とを含む端子台と、端子台本体部とケースとの間に設けられたケース端子台間シール部材とを備え、ケーブル挿入孔は、内周面に環状または周方向複数個所に形成された係止孔を含み、リテーナは、外周面に設けられ、係止孔に係止可能な係止突部を含み、ケーブル端子台間シール部材は、係止突部が係止孔に係止されるように、ケーブル端末がケーブル挿入孔の内側に挿入された状態で、ケーブル挿入孔に軸方向に向いて形成される段差面とリテーナとの間でケーブルの長さ方向に圧縮されることにより、ケーブル端末と端子台金具との接続部を端子台の外部からシールすることを特徴とする端末接続装置である。
【発明の効果】
【００１４】
本発明に係る端末接続装置によれば、単純な構造で、ケーブルの端子台に対する着脱作業を容易にしつつ、ケーブルの端末接続部の外部からのシール性を高くできる。すなわち、ケーブルの外周に嵌合したリテーナに設けた係止突部を端子台に係止しているため、ケーブルを端子台に対し挿入または引き抜くことにより、ケーブルの端子台に対する着脱作業を容易に行える。また、ケーブル端末を端子台の内側に挿入し、リテーナに設けた係止突部を端子台に係止した状態で、リテーナと端子台との間でケーブル端子台間シール部材がケーブルの長さ方向に圧縮されるため、ケーブルの端子台に対する着脱作業を大きく阻害することなく、ケーブル端末の接続部の外部からのシール性を高くできる。また、リテーナに、ケーブルの端子台に対する着脱を可能とする機能と、ケーブル端子台間シール部材を押圧する機能との両方を持たせているので、構造を単純にできるとともに、部品点数を過度に多くすることがない。
【図面の簡単な説明】
【００１５】
【図１】本発明に係る第１の実施の形態の端末接続装置を分解して示す断面図である。
【図２】第１の実施の形態の端末接続装置を組み立てた状態で示す断面図である。
【図３】第１の実施の形態において、端子金具の別例と組み合わせた構成を一部を省略して示す、図２のＡ部に対応する断面図である。
【図４】第１の実施の形態に使用する別例のケーブルとして、１のリテーナを設けた複数本のケーブルの端末を示す斜視図である。
【図５】本発明に係る第２の実施の形態の端末接続装置を示す断面図である。
【図６】本発明に係る第３の実施の形態の端末接続装置を分解して示す断面図である。
【図７】第３の実施の形態の端末接続装置を組み立てた状態で示す断面図である。
【図８】本発明に係る第４の実施の形態の端末接続装置を示す断面図である。
【図９】本発明に係る第５の実施の形態の端末接続装置を示す断面図である。
【発明を実施するための形態】
【００１６】
［第１の発明の実施の形態］
以下に、本発明に係る実施の形態を説明する。本実施の形態の端末接続装置は、例えば、３相モータ等の電動モータにおいて、ステータに設けた３相の巻線の端子、すなわち、Ｕ相、Ｖ相、Ｗ相の巻線の端子と、電動モータを駆動する駆動回路である、インバータからの複数の端子、すなわち、Ｕ相、Ｖ相、Ｗ相に対応する端子とを、電気的に接続するために使用する。このため、電動モータの筐体である、モータケース内部の電気回路である各相の巻線の端子と、インバータからの各相に対応するケーブルの端末とを、モータケースに設けた貫通孔を通じて端末接続装置により接続する。電動モータは、例えば、電気自動車や、ハイブリッド車等の電動車両の駆動源として使用する。なお、本発明に係る端末接続装置は、このように電動モータの巻線の端子と駆動回路とを接続する場合に限定するものではなく、種々の電気回路とケーブルの端末とを接続する場合にも使用できる。
【００１７】
図１から図２は、本発明に係る第１の実施の形態を示している。図１に示すように、電動モータ１０は、シールドケースである、アルミニウムまたはアルミニウム合金等の金属製のモータケース１２を備え、モータケース１２の内側に電気回路である、図示しないステータの３相の巻線を設けている。モータケース１２に内外を貫通させる貫通孔１４を設けており、貫通孔１４の周辺部に端子台１６を固定している。
【００１８】
端末接続装置は、図示しないインバータに接続された、３相の巻線に対応する３本のケーブル１８と、端子台１６と、ケース側シール部材であるケース側シールリング２０とを備える。なお、図１、図２では、ケーブル１８として、１本のケーブルのみを図示し、残りのケーブルの図示を省略している。端子台１６は、絶縁材である樹脂製の端子台本体部２２と、端子台本体部２２に保持された端子金具２４と、端子台本体部２２に設けたボルト挿入孔２６を塞ぐ蓋部である端子台ゴム栓２８とを含む。
【００１９】
端子台本体部２２は、モータケース１２の外側の貫通孔１４周辺部にモータケース１２
外面に接触した状態で固定される。端子台本体部２２は、モータケース１２の貫通孔１４に挿入される挿入部３０を有し、挿入部３０を含む３個所位置に設けた孔３２（図１、図２では孔３２として１個の孔３２のみを図示する。）に筒状の端子金具２４を嵌合するように保持している。また、端子台本体部２２の孔３２の中間部にシールリング３４をモールドするように設け、孔３２と端子金具２４との間でシールリング３４を弾性的に圧縮することにより、孔３２と端子金具２４との嵌合部をシールしている。端子金具２４の少なくとも一端部（図１、図２の上端部）内側に、金属製のボルト３６を結合するためのねじ孔を形成している。各端子金具２４の他端部（図１、図２の下端部）は、図示しないステータの対応する相の巻線の端子に導線、バスバー等の導体により接続しており、ケーブル１８の端末である端末金具３８と接続可能である。
【００２０】
また、端子台本体部２２に設けた挿入部３０を貫通孔１４に挿入し、端子台本体部２２の側面をモータケース１２の外面に押し付けた状態で、モータケース１２に端子台本体部２２をボルト４０によりねじ止め固定している。また、この状態で、端子台本体部２２の側面に設けた係止溝と、モータケース１２の外面に設けた係止溝との間でケース側シールリング２０を弾性的に圧縮している。図示の例の場合、ケース側シールリング２０の断面形状は矩形とし、ケース側シールリング２０の軸方向両側面を、ケース側シールリング２０の圧縮方向に対し直交する仮想平面上に位置する平面としている。このため、ケース側シールリング２０を含む部分で、端子台本体部２２とモータケース１２との間は、いわゆる面シールによりシールされる。このように、樹脂製の端子台本体部２２と金属製のモータケース１２との間を、面シールを構成するケース側シールリング２０によりシールすることで、樹脂と金属とで熱膨張差があるのにもかかわらず、ケース側シールリング２０の圧縮率の範囲内の、広い使用温度範囲でケース側シールリング２０のシール機能を発揮させることができる。なお、ケース側シールリング２０は、このような形状に限定するものではなく、例えば断面円形のＯリング等とすることもできる。
【００２１】
また、端子台本体部２２の端子金具２４の軸方向に対し直交する方向にケーブル挿入孔４２を形成し、ケーブル挿入孔４２と孔３２とを内部で通じさせている。また、ケーブル挿入孔４２の開口端部内側に環状または周方向複数個所の係止孔４４を形成している。係止孔４４には、ケーブル１８に保持したリテーナ４６を係止可能としている。すなわち、ケーブル１８は、外周部に嵌合されたケーブル側シール部材であるケーブルゴム栓４８と、ケーブル１８の外周部にケーブルゴム栓４８に隣接するように保持された、すなわち固定された樹脂等により構成するリテーナ４６とを含む。リテーナ４６は、端部外周面に係止孔４４に係止可能なリテーナ側係止部であり、チャックと呼ばれる係止突部５０を形成している。係止突部５０は、係止孔４４が環状である場合にはリテーナ４６の外周部の全周に設けてもよく、また、係止孔４４を、環状とする場合またはケーブル挿入孔４２の周方向複数個所に設けている場合には、係止突部５０をリテーナ４６の周方向一部または周方向複数個所に設けてもよい。
【００２２】
また、ケーブル１８の端部に芯線５２に接続した端末である、端末金具３８を設けている。端末金具３８にボルト３６を挿入可能な孔５４を形成している。端末接続装置を構成する場合、図１に示すように、ケーブル１８の端末金具３８をケーブル挿入孔４２に挿入する。そして、端子台本体部２２の外側からボルト挿入孔２６を通じてボルト３６を挿入し、図２に示すように、端末金具３８の孔５４にボルト３６を挿入した状態で、ボルト３６を端子金具２４のねじ孔にねじ結合し、端末金具３８を端子金具２４に接続する。この端末金具３８は、金属ガスケットシールとしての機能も有し、端末金具３８の側面が端子金具２４の一端面に押し付けられることで、モータケース１２内側に通じる端子金具２４の内側空間がシールされる。なお、端末金具３８と端子金具２４とを、別部材である金属ガスケット等のガスケットを介して接続することもできる。
【００２３】
また、この状態で、リテーナ４６に設けた係止突部５０を係止孔４４に係止し、リテーナ４６と端子台本体部２２に形成した段差面５６との間でケーブルゴム栓４８を、ケーブル１８の長さ方向に弾性的に圧縮することにより、端末金具３８と端子金具２４との接続部を端子台１６の外部からシールしている。
【００２４】
また、端子台本体部２２のボルト挿入孔２６に端子台ゴム栓２８を結合することで、ボルト挿入孔２６を塞いでいる。端子台ゴム栓２８の片側に筒部５８を設け、筒部５８の先端部に設けた係止部をボルト挿入孔２６の奥側開口端周辺部に係止している。また、筒部５８の外側とボルト挿入孔２６との間にシールリング６０を設け、筒部５８とボルト挿入孔２６との間でシールリング６０を弾性的に圧縮することで、筒部５８とボルト挿入孔２６との嵌合部をシールしている。
【００２５】
また、ネット状金属等のシールド編組６２を、端子台１６とケーブル１８との全体を覆うように設けるとともに、シールド編組６２をモータケース１２に接続することで、シールド編組６２をアースしている。
【００２６】
このような端末接続装置によれば、単純な構造で、ケーブル１８の固定部品に対する着脱作業を容易にしつつ、ケーブル１８の端末接続部の外部からのシール性を高くできる。すなわち、ケーブル１８の外周に嵌合したリテーナ４６に設けたリテーナ側係止部である係止突部５０を端子台本体部２２の係止孔４４に係止しているため、ケーブル１８を固定部品である端子台１６に対し挿入または引き抜くことにより、ケーブル１８の端子台１６に対する着脱作業を容易に行える。すなわち、サービス性の向上を図れる。また、ケーブル１８の端末金具３８を端子台１６の内側に挿入し、リテーナ４６に設けた係止突部５０を端子台１６の係止孔４４に係止した状態で、リテーナ４６と端子台１６との間でケーブルゴム栓４８をケーブル１８の長さ方向に圧縮するので、ケーブル１８の端子台１６に対する着脱作業を大きく阻害することなく、ケーブル１８の端末金具３８の接続部の外部からのシール性を高くできる。すなわち、端子台１６内側部分を、端子台１６の外部とモータケース１２内部とから十分にシールできる。
【００２７】
また、リテーナ４６に、ケーブル１８の端子台１６に対する着脱を可能とする機能と、ケーブルゴム栓４８を押圧する機能との両方を持たせているので、構造を単純にできるとともに、部品点数を過度に多くすることがない。また、端子台本体部２２を絶縁材製としているので、高電圧線であるケーブル１８との間を絶縁離隔できる。
【００２８】
また、シールド編組６２により、端子台１６とケーブル１８とを覆っているので、ケーブル１８による高周波ノイズにより外部の電気回路が悪影響を受けるのを抑制することができるとともに、シールド部材の形状で他の部品の配置の自由度が制限されるのを抑制できる。
【００２９】
また、ケーブル１８とリテーナ４６とケーブルゴム栓４８等のシール部材とを、端子台１６に組み付ける場合に必要とされる組み付け隙間を適切に確保することを前提として、例えば、後述する各実施形態のように、端子台１６を種々の形状に形成することができる。すなわち、本実施の形態の効果を得るための基本構成は単純で、ケーブル１８の組み付け部や端子台１６の形状を種々に変更できるので、組み付け工程の自由度を高くできるとともに、シールド編組６２等のシールド部材の配策の自由度を高くできる。
【００３０】
また、端子台１６とモータケース１２との間にケース側シールリング２０を設けているので、端子台１６とモータケース１２との間で伝達される振動を抑制して、防振機能を得ることもでき、端子台１６の揺れによる騒音及び振動の発生を低減できる。
【００３１】
なお、ケーブル１８の端末金具３８が浸水することを許容できる場合には、端子金具２４と端子台本体部２２との嵌合部に設けたシールリング３４を省略することもできる。すなわち、シールド部材としてシールド編組６２を設けているので、シールド部材の配策の自由度を高めることができる。
【００３２】
図３は、上記の第１の実施の形態において、端子金具の別例と組み合わせた構成を一部を省略して示す、図２のＡ部に対応する断面図である。このような図３に示す構成の場合には、端子金具６４を柱状とし、端子金具６４の一端面（図３の上端面）にボルト３６を結合可能なねじ孔６６を形成している。また、端子金具６４の他端部（図３の下端部）を図示しないステータの巻線等の電気回路に接続している。このような構成でも、単純な構造で、ケーブル１８の固定部品に対する着脱作業を容易にしつつ、ケーブル１８の端末接続部の外部からのシール性を高くできる。その他の構成及び作用は、上記の図１から図２に示した第１の実施の形態と同様である。
【００３３】
図４は、上記の第１の実施の形態に使用する別例のケーブルとして、１のリテーナを設けた複数本のケーブルの端末を示す斜視図である。図４に示す構成の場合には、１のリテーナ４６ａにより複数のケーブル１８の端部をまとめて保持している。リテーナ４６ａの外周部の２個所位置にリテーナ側係止部である係止突部５０を設けている。これに対応して、リテーナ４６ａを係止する端子台本体部２２（図１、図２参照）に係止突部５０を係止可能な係止溝を設ける。このように１のリテーナ４６により複数本のケーブル１８の端部を保持することにより、ケーブル１８の取り扱い作業をより容易に行える、すなわちハンドリングが容易になり、ケーブル１８の端子台１６（図１、図２参照）に対する着脱作業をより容易に行える。
【００３４】
［第２の発明の実施の形態］
図５は、本発明に係る第２の実施の形態の端末接続装置を示す断面図である。本実施の形態の場合、端子台１６に対するケーブル１８の挿入方向に対し同一直線上に端子金具２４を設けている。端末接続装置は、端子台本体部２２と端子金具２４とを含む端子台１６と、ケース側シールリング２０とを備える。端子台本体部２２は、略有底筒状に形成しており、端子台本体部２２を構成する筒部６８の一端部（図５の上端部）の周方向複数個所に係止孔７０を形成している。また、筒部６８の内周面で、係止孔７０よりも奥側に段差面７２を設けている。また、端子台本体部２２の底部側の外周面にフランジ７４を設けるとともに、端子台本体部２２のフランジ７４に関して筒部６８と反対側に、モータケース１２の貫通孔１４に挿入可能な挿入部７６を設けている。また、挿入部７６を含む端子台本体部２２の底部側に孔を形成し、孔に筒状の端子金具２４をモールドするように保持している。また、ケーブル１８の外周部にシール部材７８を嵌合し、ケーブル１８の外周部に、シール部材７８に隣接するようにリテーナ４６を保持している。また、端子台１６とケーブル１８とを覆うようにシールド編組等のシールド部材８０を設けている。
【００３５】
ケーブル１８の端末金具８２を端子金具２４に接続する場合、端子台１６の挿入部７６を貫通孔１４に挿入し、フランジ７４の側面をモータケース１２外面に押し付けた状態で図示しないボルトにより端子台本体部２２をモータケース１２に固定する。また、フランジ７４の側面とモータケース１２外面との間にケース側シールリング２０を設ける。ケーブル１８の端部に設けた端末金具８２は、端子台本体部２２の筒部６８の内側に挿入し、端子金具２４に端末金具８２の先端部を挿入することで端子金具２４に端末金具８２を接続する。また、リテーナ４６に設けた係止突部５０を端子台本体部２２に設けた係止孔７０に係止する。この状態で、リテーナ４６と端子台本体部２２に設けた段差面７２との間でシール部材７８を弾性的に圧縮する。
【００３６】
このような本実施の形態の場合も、単純な構造で、ケーブル１８の固定部品に対する着脱作業を容易にしつつ、ケーブル１８の端末接続部の外部からのシール性を高くできる。その他の構成及び作用は、上記の図１から図２に示した第１の実施の形態と同様である。
【００３７】
［第３の発明の実施の形態］
図６は、本発明に係る第３の実施の形態の端末接続装置を分解して示す断面図である。図７は、第３の実施の形態の端末接続装置を組み立てた状態で示す断面図である。図６に示すように、本実施の形態の場合も、上記の図５に示した第２の実施の形態と同様に、端子台１６に対するケーブル１８の挿入方向に対し同一直線上に端子金具２４を設けている。端末接続装置は、端子台本体部２２と端子金具２４とを含む端子台１６と、ケース側シールリング２０とを備える。また、ケーブル１８の端部周囲に取付部材８４を嵌合固定している。
【００３８】
取付部材８４は、モータケース１２に接触させた状態で、ボルト４０によりモータケース１２に固定するもので、アルミニウムまたはアルミニウム合金等の金属により構成している。取付部材８４は、略有底筒状で、筒部８６の開口端部に取付部材側フランジ８８を設けている。また、取付部材側フランジ８８の片面外周部に短筒部９０を設けている。取付部材側フランジ８８の一部または複数個所にボルト４０を挿入するための孔９５を形成している。取付部材８４の底板部９２に関して筒部８６と反対側に柱部９４を設けている。また、ケーブル１８の周囲を束状のシールド線９６により覆い、シールド線９６の端部を柱部９４にかしめ固定により接続している。
【００３９】
また、端子台本体部２２及びケース側シールリング２０は、上記の図５に示した第２の実施の形態の場合とほぼ同様の構成を有し、フランジ７４の取付部材側フランジ８８に設けた孔９５と整合する位置に孔９８を設けている。
【００４０】
図７に示すように、端子台１６は、挿入部７６をモータケース１２の貫通孔１４に挿入し、フランジ７４側面を、ケース側シールリング２０を介して、モータケース１２外面に押し付けた状態で、取付部材側フランジ８８とフランジ７４とに挿通したボルト４０により、端子台１６を取付部材８４とともに、モータケース１２に固定している。また、フランジ７４側面とモータケース１２の外面との間にケース側シールリング２０を設けている。また、リテーナ４６に設けた係止突部５０を端子台本体部２２に設けた係止孔７０に係止している。この状態で、取付部材８４は、モータケース１２に接触している。
【００４１】
端子金具２４に端末金具８２を接続する場合には、図６に示すように、フランジ７４とモータケース１２との間でケース側シールリング２０を圧縮した状態で、端子台１６をモータケース１２に押し付ける。また、シールド線９６が固定された取付部材８４にケーブル１８を通し、その後、リテーナ４６とシール部材７８とにケーブル１８を通す。その後、図７に示すように、ケーブル１８を端子台１６の内側に挿入し、リテーナ４６と端子台１６の段差面７２との間でシール部材７８を圧縮した状態で、リテーナ４６の係止突部５０を端子台１６の係止孔７０に係止する。また、この状態で、端末金具８２を端子金具２４に接続する。そしてこの状態で、取付部材８４とモータケース１２との間で、端子台１６のフランジ７４を挟持するように、モータケース１２に取付部材８４及び端子台１６をボルト４０により固定する。
【００４２】
このような本実施の形態の場合も、単純な構造で、ケーブル１８の固定部品に対する着脱作業を容易にしつつ、ケーブル１８の端末接続部の外部からのシール性を高くできる。また、モータケース１２に端子台１６を、ケーブル１８に固定した取付部材８４とともに取り付けた状態で、モータケース１２の外部からのシール性を確保しつつ、端末金具８２と端子金具２４とを接続できる。また、ケーブル１８を覆うシールド線９６が取付部材８４を介してモータケース１２に接続されるので、ケーブル１８による高周波ノイズにより外部の電気回路が影響を受けるのを抑制することができる。その他の構成及び作用は、上記の図１から図２に示した第１の実施の形態、または上記の図５に示した第２の実施の形態と同様である。
【００４３】
［第４の発明の実施の形態］
図８は、本発明に係る第４の実施の形態の端末接続装置を示す断面図である。本実施の形態の場合、上記の図６から図７に示した第３の実施の形態で、筒状の端子金具２４（図６等参照）の代わりに柱状の端子金具１００を端子台本体部２２に保持している。すなわち、端子台本体部２２に設けた孔１０２に端子金具１００を挿入した状態で保持している。孔１０２の中間部にシールリング３４をモールドするように設けており、孔１０２と端子金具１００との嵌合部をシールリング３４によりシールしている。ケーブル１８の端部に設けた端末金具１０４を端子金具１００の一端面（図８の上端面）に、金属ガスケット等のガスケット１０６を介して接続した状態で、端末金具３８及びガスケットのそれぞれに設けた孔に挿入したボルト３６を端子金具１００にねじ結合している。また、端子金具１００の他端部（図８の下端部）に、図示しないステータの巻線等の電気回路に接続したバスバー１０８の端部を、ボルト１１０によりねじ結合している。
【００４４】
このような本実施の形態の場合も、単純な構造で、ケーブル１８の固定部品に対する着脱作業を容易にしつつ、ケーブル１８の端末接続部の外部からのシール性を高くできる。また、ケーブル１８の端末金具１０４を、端子台１６に保持した端子金具１００に、ガスケット１０６を介してボルト固定しているので、端子台１６の外部から、端子金具１００と端子台１６との嵌合部を通じて水等の液体が這い上がりそうになる場合でも、この液体が端末金具１０４側に進行することをより有効に防止できる。その他の構成及び作用は、上記の図６から図７に示した第３の実施の形態と同様である。
【００４５】
［第５の発明の実施の形態］
図９は、本発明に係る第５の実施の形態の端末接続装置を示す断面図である。本実施の形態では、上記の図５に示した第２の実施の形態において、端子台本体部２２のモータケース１２側にフランジ７４を設けるとともに、挿入部７６の先端部の周方向複数個所または全周部にチャックと呼ばれる係止突部１１２を設けている。係止突部１１２は、先端部が外周側に突出するもので、端子台本体部２２に一体成形している。端子金具２４を保持した端子台１６は、挿入部７６をモータケース１２の貫通孔１４に押し込むように挿入し、係止突部１１２をモータケース１２の貫通孔１４の開口端周辺部に係止させることで、作業者が意図しないモータケース１２に対する端子台１６の脱落を防止できる。また、この状態で、フランジ７４側面とモータケース１２の外面との間でケース側シールリング２０を圧縮する。また、端子台１６及びケーブル１８を覆うように図示しないシールド編組を設けている。
【００４６】
このような構成の場合、端子台１６をモータケース１２にボルトにより固定する必要がなくなり、しかも、モータケース１２に対する端子台１６の着脱作業をより容易に行える。例えば、端子台１６をモータケース１２に結合する場合、端子台１６の挿入部７６をモータケース１２の貫通孔１４に押し込むだけでよい。その他の構成及び作用は、上記の図５に示した第２の実施の形態と同様である。
【符号の説明】
【００４７】
１０  電動モータ、１２  モータケース、１４  貫通孔、１６  端子台、１８  ケーブル、２０  ケース側シールリング、２２  端子台本体部、２４  端子金具、２６  ボルト挿入孔、２８  端子台ゴム栓、３０  挿入部、３２  孔、３４  シールリング 、３６  ボルト、３８  端末金具、４０  ボルト、４２  ケーブル挿入孔、４４  係止孔、４６，４６ａ  リテーナ、４８  ケーブルゴム栓、５０  係止突部、５２  芯線、５４  孔、５６  段差面、５８  筒部、６０  シールリング、６２  シールド編組、６４  端子金具、６６  ねじ孔、６８  筒部、７０  係止孔、７２  段差面、７４  フランジ、７６  挿入部、７８  シール部材、８０  シールド部材、８２  端末金具、８４  取付部材、８６  筒部、８８  取付部材側フランジ、９０  短筒部、９２  底板部、９４  柱部、９５  孔、９６  シールド線、９８  孔、１００  端子金具、１０２  孔、１０４  端末金具、１０６  ガスケット、１０８  バスバー、１１０  ボルト、１１２  係止突部。
【図１】
0005434612.tif 000002
【図２】
0005434612.tif 000003
【図３】
0005434612.tif 000004
【図４】
0005434612.tif 000005
【図５】
0005434612.tif 000006
【図６】
0005434612.tif 000007
【図７】
0005434612.tif 000008
【図８】
0005434612.tif 000009
【図９】
0005434612.tif 000010